(57)【要約】【課題】  本発明では、ネットワークカメラを使い、物品の状態をつぶさに調査することによって、安心して購入することができるようなネットカメラオークションシステムを提案するものである。さらに、ネットオークションを魅力あるものにするサービスを提案するものである。【解決手段】  本発明は、カメラ装置と、サーバ装置と、複数の端末装置と、からなるネットカメラオークションシステムであって、前記カメラ装置は、映像情報取得部と、駆動制御信号取得部と、を有し、前記端末装置は、閲覧部と、指値情報入力部と、利用者識別情報取得部と、利用者指値情報出力部と、駆動制御信号出力部と、を有し、前記サーバ装置は、映像情報出力部と、利用者指値情報取得部と、駆動制御信号取得部と、優先駆動制御信号選択部と、駆動制御信号送出部と、指値情報変更部と、を有しているネットカメラオークションシステムである。【選択図】図１
2005293294.tif 000002
【特許請求の範囲】
【請求項１】
カメラ装置と、サーバ装置と、複数の端末装置と、からなるネットカメラオークションシステムであって、
前記カメラ装置は、
オークションの対象となる物品を撮影可能に配置され、
前記物品の映像の情報である映像情報を取得する映像情報取得部と、
自身を前記物品に対して相対的に動かすための駆動制御信号を取得する駆動制御信号取得部と、
を有し、
前記端末装置は、
前記映像情報を閲覧するための閲覧部と、
前記閲覧部で閲覧している映像情報によって特定される前記物品の指値情報を入力する指値情報入力部と、
ネットオークションシステム利用者を識別する情報である利用者識別情報を取得する利用者識別情報取得部と、
前記指値情報入力部に入力された指値情報と、前記利用者識別情報取得部で取得された利用者識別情報とを関連付けた情報である利用者指値情報を前記サーバ装置に出力する利用者指値情報出力部と、
前記閲覧部で閲覧している映像情報を取得しているカメラ装置の駆動制御信号を前記利用者識別情報と関連付けて出力する駆動制御信号出力部と、
を有し、
前記サーバ装置は、
前記カメラ装置の前記映像情報取得部が取得した映像情報を前記端末装置に対して閲覧可能とする映像情報出力部と、
前記端末装置の利用者指値情報出力部から出力される前記利用者指値情報を取得する利用者指値情報取得部と、
前記端末装置の前記駆動制御信号出力部から出力される駆動制御信号取得する駆動制御信号取得部と、
前記駆動制御信号取得部で取得した駆動制御信号のなかから優先的に処理すべき駆動信号である優先駆動制御信号を選択する優先駆動制御信号選択部と、
前記優先駆動制御信号選択部で選択した優先駆動制御信号を前記カメラ装置に送出する駆動制御信号送出部と、
前記利用者指値情報の利用者識別情報に基づいて前記指値情報を変更する指値情報変更部と、
を有しているネットカメラオークションシステム。
【請求項２】
前記サーバ装置の前記指値情報変更部は、前記駆動制御信号取得部で取得した過去の駆動制御信号に基づいて前記指値情報を変更する駆動制御信号依存指値情報変更手段をさらに有する請求項１に記載のネットカメラオークションシステム。
【請求項３】
前記駆動制御信号依存指値情報変更手段は、前記物品に関する優先駆動制御信号に基づいて、その物品に関する指値情報を変更する請求項２に記載のネットカメラオークションシステム。
【請求項４】
前記駆動制御信号依存指値情報変更手段は、優先駆動制御信号の過去の履歴情報である優先駆動制御信号履歴情報に基づいて、その物品に関する指値情報を変更する請求項２に記載のネットカメラオークションシステム。
【請求項５】
前記優先駆動制御信号履歴情報は、前記優先駆動制御信号に基づいて算定される駆動量の積分値である請求項４に記載のネットカメラオークションシステム。
【請求項６】
前記指値情報変更部は、前記指値情報で示される指値に所定の金額を加えるための処理をする請求項１から５に記載のネットカメラオークションシステム。
【請求項７】
前記指値情報変更部は、前記指値情報で示される指値から所定の金額を減ずるための処理をする請求項１から５に記載のネットカメラオークションシステム。
【請求項８】
前記優先駆動制御信号選択部は、前記利用者指値情報取得部で取得した利用者指値情報に基づいて前記選択をする利用者指値情報依存優先駆動制御信号選択手段を有する請求項１から７のいずれか一に記載のネットカメラオークションシステム。
【請求項９】
前記利用者指値情報依存優先駆動信号選択手段は、利用者指値情報で示される指値が他のネットオークションシステム利用者の利用者指値情報で示される指値よりも低い指値であるネットオークションシステム利用者の駆動制御信号を優先駆動制御信号として選択する請求項８に記載のネットカメラオークションシステム。
【請求項１０】
カメラ装置と、サーバ装置と、複数の端末装置と、からなるネットカメラオークションシステムであって、
前記カメラ装置は、
オークションの対象となる物品を撮影可能に配置され、
前記物品の映像の情報である映像情報を取得する映像情報取得部と、
自身を前記物品に対して相対的に動かすための駆動制御信号を取得する駆動制御信号取得部と、
を有し、
前記端末装置は、
前記映像情報を閲覧するための閲覧部と、
前記閲覧部で閲覧している映像情報によって特定される前記物品の指値情報を入力する指値情報入力部と、
ネットオークションシステム利用者を識別する情報である利用者識別情報を取得する利用者識別情報取得部と、
前記指値情報入力部に入力された指値情報と、前記利用者識別情報取得部で取得された利用者識別情報とを関連付けた情報である利用者指値情報を前記サーバ装置に出力する利用者指値情報出力部と、
前記閲覧部で閲覧している映像情報を取得しているカメラ装置の駆動制御信号を前記利用者識別情報と関連付けて出力する駆動制御信号出力部と、
を有し、
前記サーバ装置は、
前記カメラ装置の前記映像情報取得部が取得した映像情報を前記端末装置に対して閲覧可能とする映像情報出力部と、
前記端末装置の利用者指値情報出力部から出力される前記利用者指値情報を取得する利用者指値情報取得部と、
前記端末装置の前記駆動制御信号出力部から出力される駆動制御信号取得する駆動制御信号取得部と、
前記駆動制御信号取得部で取得した駆動制御信号のなかから優先的に処理すべき駆動信号である優先駆動制御信号を選択する優先駆動制御信号選択部と、
前記優先駆動制御信号選択部で選択した優先駆動制御信号を前記カメラ装置に送出する駆動制御信号送出部と、
を有しているネットカメラオークションシステム。
【請求項１１】
前記優先駆動制御信号選択部は、前記利用者指値情報取得部で取得した利用者指値情報に基づいて前記選択をする利用者指値情報依存優先駆動制御信号選択手段を有する請求項１から７のいずれか一に記載のネットカメラオークションシステム。
【請求項１２】
前記利用者指値情報依存優先駆動信号選択手段は、利用者指値情報で示される指値が他のネットオークションシステム利用者の利用者指値情報で示される指値よりも低い指値であるネットオークションシステム利用者の駆動制御信号を優先駆動制御信号として選択する請求項８に記載のネットカメラオークションシステム。
【発明の詳細な説明】
【技術分野】
【０００１】
本発明は、ネットワークを介して物品の画像を取得しオークションの参考にするとともに、オークションにおいて利用者に応じて指値を操作するネットカメラオークションシステムに関する。
【背景技術】
【０００２】
従来のネットワークを介してのオークションにおける物品の画像は、出品者が提供する静止画像であった。このため、詳細な画像情報を取得することは困難であった。そのために、どちらかと言えば出品者に有利な情報が提供されて、オークションシステム利用者は選択の余地がないという不利な立場に立たされていた。また、オークションにおいては、オークションに参加したくなるようなサービスもなく、インセンティブもなかったために、ネットオークションは、いまひとつ魅力に欠けるものであった。
【特許文献１】特開２００４−４６６０３
【発明の開示】
【発明が解決しようとする課題】
【０００３】
このため、本発明では、ネットワークカメラを使い、物品の状態をつぶさに調査することによって、安心して購入することができるようなネットカメラオークションシステムを提案するものである。さらに、あわせてオークションにおいて、オークションシステム利用者が提示する指値にサービス金額を上乗せするなどの方法について、ネットオークションを魅力あるものにすることを提案するものである。
【課題を解決するための手段】
【０００４】
本発明は、ネットカメラオークションシステムに関する発明である。
【０００５】
発明1  カメラ装置と、サーバ装置と、複数の端末装置と、からなるネットカメラオークションシステムであって、前記カメラ装置は、オークションの対象となる物品を撮影可能に配置され、前記物品の映像の情報である映像情報を取得する映像情報取得部と、自身を前記物品に対して相対的に動かすための駆動制御信号を取得する駆動制御信号取得部と、を有し、前記端末装置は、前記映像情報を閲覧するための閲覧部と、前記閲覧部で閲覧している映像情報によって特定される前記物品の指値情報を入力する指値情報入力部と、ネットオークションシステム利用者を識別する情報である利用者識別情報を取得する利用者識別情報取得部と、前記指値情報入力部に入力された指値情報と、前記利用者識別情報取得部で取得された利用者識別情報とを関連付けた情報である利用者指値情報を前記サーバ装置に出力する利用者指値情報出力部と、前記閲覧部で閲覧している映像情報を取得しているカメラ装置の駆動制御信号を前記利用者識別情報と関連付けて出力する駆動制御信号出力部と、を有し、前記サーバ装置は、前記カメラ装置の前記映像情報取得部が取得した映像情報を前記端末装置に対して閲覧可能とする映像情報出力部と、前記端末装置の利用者指値情報出力部から出力される前記利用者指値情報を取得する利用者指値情報取得部と、前記端末装置の前記駆動制御信号出力部から出力される駆動制御信号取得する駆動制御信号取得部と、前記駆動制御信号取得部で取得した駆動制御信号のなかから優先的に処理すべき駆動信号である優先駆動制御信号を選択する優先駆動制御信号選択部と、前記優先駆動制御信号選択部で選択した優先駆動制御信号を前記カメラ装置に送出する駆動制御信号送出部と、前記利用者指値情報の利用者識別情報に基づいて前記指値情報を変更する指値情報変更部と、を有しているネットカメラオークションシステム。
【０００６】
発明２  前記サーバ装置の前記指値情報変更部は、前記駆動制御信号取得部で取得した過去の駆動制御信号に基づいて前記指値情報を変更する駆動制御信号依存指値情報変更手段をさらに有する発明１に記載のネットカメラオークションシステム。
【０００７】
発明３  前記駆動制御信号依存指値情報変更手段は、前記物品に関する優先駆動制御信号に基づいて、その物品に関する指値情報を変更する発明２に記載のネットカメラオークションシステム。
【０００８】
発明４  前記駆動制御信号依存指値情報変更手段は、優先駆動制御信号の過去の履歴情報である優先駆動制御信号履歴情報に基づいて、その物品に関する指値情報を変更する発明２に記載のネットカメラオークションシステム。
【０００９】
発明５  前記優先駆動制御信号履歴情報は、前記優先駆動制御信号に基づいて算定される駆動量の積分値である発明４に記載のネットカメラオークションシステム。
【００１０】
発明６  前記指値情報変更部は、前記指値情報で示される指値に所定の金額を加える処理をする発明１から５に記載のネットカメラオークションシステム。
【００１１】
発明７  前記指値情報変更部は、前記指値情報で示される指値に所定の金額を減ずる処理をする発明１から５に記載のネットカメラオークションシステム。
【００１２】
発明８  前記優先駆動制御信号選択部は、前記利用者指値情報取得部で取得した利用者指値情報に基づいて前記選択をする利用者指値情報依存優先駆動制御信号選択手段を有する発明１から７のいずれか一に記載のネットカメラオークションシステム。
【００１３】
発明９  前記利用者指値情報依存優先駆動信号選択手段は、利用者指値情報で示される指値が他のネットオークションシステム利用者の利用者指値情報で示される指値よりも低い指値であるネットオークションシステム利用者の駆動制御信号を優先駆動制御信号として選択する発明８に記載のネットカメラオークションシステム。
【００１４】
発明１０  カメラ装置と、サーバ装置と、複数の端末装置と、からなるネットカメラオークションシステムであって、前記カメラ装置は、オークションの対象となる物品を撮影可能に配置され、前記物品の映像の情報である映像情報を取得する映像情報取得部と、自身を前記物品に対して相対的に動かすための駆動制御信号を取得する駆動制御信号取得部と、を有し、前記端末装置は、前記映像情報を閲覧するための閲覧部と、前記閲覧部で閲覧している映像情報によって特定される前記物品の指値情報を入力する指値情報入力部と、ネットオークションシステム利用者を識別する情報である利用者識別情報を取得する利用者識別情報取得部と、前記指値情報入力部に入力された指値情報と、前記利用者識別情報取得部で取得された利用者識別情報とを関連付けた情報である利用者指値情報を前記サーバ装置に出力する利用者指値情報出力部と、前記閲覧部で閲覧している映像情報を取得しているカメラ装置の駆動制御信号を前記利用者識別情報と関連付けて出力する駆動制御信号出力部と、を有し、前記サーバ装置は、前記カメラ装置の前記映像情報取得部が取得した映像情報を前記端末装置に対して閲覧可能とする映像情報出力部と、前記端末装置の利用者指値情報出力部から出力される前記利用者指値情報を取得する利用者指値情報取得部と、前記端末装置の前記駆動制御信号出力部から出力される駆動制御信号取得する駆動制御信号取得部と、前記駆動制御信号取得部で取得した駆動制御信号のなかから優先的に処理すべき駆動信号である優先駆動制御信号を選択する優先駆動制御信号選択部と、前記優先駆動制御信号選択部で選択した優先駆動制御信号を前記カメラ装置に送出する駆動制御信号送出部と、を有しているネットカメラオークションシステム。
【００１５】
発明１１  前記優先駆動制御信号選択部は、前記利用者指値情報取得部で取得した利用者指値情報に基づいて前記選択をする利用者指値情報依存優先駆動制御信号選択手段を有する発明１から７のいずれか一に記載のネットカメラオークションシステム。
【００１６】
発明１２  前記利用者指値情報依存優先駆動信号選択手段は、利用者指値情報で示される指値が他のネットオークションシステム利用者の利用者指値情報で示される指値よりも低い指値であるネットオークションシステム利用者の駆動制御信号を優先駆動制御信号として選択する発明８に記載のネットカメラオークションシステム。
【発明の効果】
【００１７】
本発明の請求項１から１２の何れか一あるいは二以上に記載のネットカメラオークションシステムによれば、物品の状態をつぶさに調査することができるので、物品を十分に検証したのちにオークションシステム利用者が安心して物品を購入することができる、という優れた効果を奏し得る。特に、中古品をオークションの対象物品とする場合には、傷や改造などについて詳細に知ることができきるために、オークションシステム利用者は間違いのない買い物をすることができる、という効果を奏する。さらに、オークションシステム利用者の過去の利用履歴、カメラ装置の駆動履歴、などに依存して指値を操作することによって、オークションシステムの重要な利用者については安価に品物を購入できるようになる、などの効果を奏する。また、指値情報の示す値が小さいネットオークションシステム利用者に対しては、カメラ装置を優先的に利用できるなどの特典など、高値をつけやすいサービスの提供を行うなど、ネットオークションの活性化ができる、という効果を奏する。
【発明を実施するための最良の形態】
【００１８】
以下、本発明の実施の形態を図面を参照して説明する。
【００１９】
次に、上記した実施の形態の作動を説明する。
実施形態１は、主に請求項１と請求項６と請求項７、８、９、１０、１１、１２などに関する。
実施形態２は、主に請求項２と請求項６と請求項７などに関する。
実施形態３は、主に請求項３と請求項６と請求項７などに関する。
実施形態４は、主に請求項４と請求項６と請求項７などに関する。
実施形態５は、主に請求項５と請求項６と請求項７などに関する。
【００２０】
≪実施形態１≫
【００２１】
<実施形態１の概念>
【００２２】
図１は、実施形態１の概念図を示す。
【００２３】
ネットカメラオークションシステムは、ネットワークを通じてオークションを行うシステムであって、会場に参加できない個人または業者が、ネットワークを通じて端末装置からカメラ装置を操作することによってオークションの対象となる物品の詳細を見ることができるというシステムである。ネットカメラオークションシステムは、カメラ装置とサーバ装置と、複数の端末装置と、からなる。ネットカメラオークションシステムは、複数の端末装置からサーバ装置経由にてカメラ装置へ駆動制御信号を送信してカメラ装置を駆動させ、カメラ装置で取得された映像情報をサーバ装置経由にて端末装置にて閲覧できるようにするシステムである。このシステムの特徴点のひとつは、複数の端末装置から同じタイミングでカメラ装置の駆動制御信号が送信されてきた場合には、優先すべき駆動制御信号を選択してこの駆動信号に基づいてカメラ装置を駆動させることである。また、もうひとつの特徴点は、ネットオークションシステム利用者の過去の利用履歴に応じて、その指値を操作することである。この指値を操作することによって、ネットオークションシステム利用者の利用の度合いに応じて、特典を得ることができる。
【００２４】
図１は、物品ひとつに対して、一台のカメラ装置を設置する場合を示す。この図では、ネットオークションシステム利用者３名がそれぞれの端末装置を利用して、オークションに参加しようとしている。Ａはこのコンピュータを一目で気にいり、Ｂは迷っており、Ｃは価格が高くなければ購入してもよい、という状態である。
【００２５】
図２では、Ａ、Ｂ、Ｃ、の三者がオークションをスタートしている。Ａは、指値として５万円を端末装置より入力する（(1)）。（図面中の丸付き数字は、本文中では丸括弧の数字にて以下、記載する。）Ａは、過去にもこのネットオークションシステムをよく利用しているために、５万円と入力しても、サーバ装置がＡの実績を評価し、１万円を加算して６万円の指値として提示する。Ｂは、この値段を見て、オークションを静観することにする（(2)）。Ｃは、このコンピュータについては、Ａほどではないにしても気に入っているので、Ａよりも一万円上乗せした７万円を端末装置より入力する（(3)）。Ｃも、このネットオークションシステムの利用実績が評価され、サーバ装置から５千円の上乗せがある。Ａは、この入札金額の動きを観察して、一挙に１０万円の指値を提示することによって、他のネットオークションシステム利用者のやる気を失わせる戦略にでた（(4)）。Ａの過去の利用実績から、サーバ装置は２万円を上乗せし、１２万円となった。Ｃは、そこまでの購買意欲を有していたわけではないので、このオークションから降りることにした（(5)）。このように、指値に金額を上乗せするという特徴を有するこのシステムは、ネットオークションに参加するインセンティブを高め、ネットオークションを活性化するサービスを提供するシステムである。
【００２６】
図３は、設置するカメラの概念図を示している。カメラは、チルト０３０１とパン０３０３、それにズーム０３０２によって、三次元的な動きを行うことができる。
【００２７】
図４と図５は、ネットオークションの流れを示す図である。まずオークションリスト０４０１から欲しい物品がある分野を探す。図では、例えば、コンピュータを選択している。次に、出店者リスト０４０２から希望する出店者を選択する。図では、Ｇ社が選択されている。次に、Ｇ社の商品リスト０４０３から欲しいものを選択する。図では、Ａ−１２５という規格のコンピュータが選択されている。次に、このコンピュータに入札するが、そのための情報が図５の商品の情報０５０１に記載されている。まず、現在の価格が記載されている。ここでは、例えば、２００００円を超える入札金額でないと、入札できない。さらに、入札の残り時間、現在の最高額入札者の名前、入札数量、入札履歴、その他の情報が記載されている。また、現在までの入札がどのような結果であったかが、入札履歴０５０２を見ればわかるようになっている。
【００２８】
図６、図７は、実施形態１のネットカメラオークションシステムの処理の流れの一例である。
【００２９】
駆動制御信号Ａ出力ステップ０６０６では、端末装置Ａにて閲覧している映像情報を取得しているカメラ装置の駆動制御信号Ａを出力する。サーバ装置の駆動制御信号Ａ取得ステップ０６０８では、端末装置Ａから前記閲覧されている映像情報を取得しているカメラ装置の駆動制御信号Ａを取得する。次に、駆動制御信号Ｂ出力ステップ０６０９では、端末装置Ｂにて閲覧している映像情報を取得しているカメラ装置の駆動制御信号Ｂを出力する。サーバ装置の駆動制御信号Ｂ取得ステップ０６１０では、端末装置Ｂから前記閲覧されている映像情報を取得しているカメラ装置の駆動制御信号Ｂを取得する。優先駆動制御信号選択ステップ０６１１では、前記駆動制御信号取得ステップで取得した駆動制御信号のなかから優先的に処理すべき駆動制御信号である優先駆動制御信号Ｂを選択する。駆動制御信号Ｂ送出ステップ０６１２では、前記優先駆動制御信号選択ステップで選択した優先駆動制御信号を前記カメラ装置に送出する。映像情報出力ステップ０６１３では、カメラ装置の前記映像情報取得ステップにて取得した映像情報を前記端末装置に対して閲覧可能とする。閲覧ステップ（０６１６、０６１７）では、前記サーバ装置の前記映像情報出力ステップにて出力される映像情報を閲覧する。
【００３０】
このような閲覧ステップを経て、オークションが開始される。端末装置Ａ０６０１の利用者が口火を切る。指値情報入力ステップ０７０１では、端末装置からネットオークション利用者から指値情報が指値情報入力ステップ０７０１にて入力される。次に、利用者識別情報が取得されたのち、この指値情報と関連づけられた利用者指値情報が利用者指値情報出力ステップ０７０２にて出力される。サーバ装置の利用者指値情報取得ステップ０７０３では、利用者指値情報が取得されたのち、指値情報変更ステップ０７０４にて利用者指値情報に関連づけられている利用者識別情報に基づいて、指値情報が変更される。本例においては、次に、端末Ｂから、さらに、端末装置Ａからそれぞれ指値情報が入力され、同様の操作が繰り返される。最終的に制限時間が来て、端末装置Ａの利用者が物品を落札０７１３する。
【００３１】
<実施形態１の全体構成>
【００３２】
図８は、実施形態１の機能ブロックを表す図である。
【００３３】
実施形態１は、カメラ装置０８１７と、サーバ装置０８１０と、複数の端末装置０８０４と、からなるネットカメラオークションシステムであって、前記カメラ装置は、映像情報取得部０８０２と、駆動制御信号取得部０８０３と、を有し、前記端末装置は、閲覧部０８０５と、指値情報入力部０８０６と、利用者識別情報取得部０８０７と、利用者指値情報出力部０８０８と、駆動制御信号出力部０８０９と、を有し、前記サーバ装置は、映像情報出力部０８１１と、利用者指値情報取得部０８１２と、駆動制御信号取得部０８１３と、優先駆動制御信号選択部０８１４と、駆動制御信号送出部０８１５と、指値情報変更部０８１６と、を有しているネットカメラオークションシステムである。
【００３４】
<実施形態１の構成の説明>
【００３５】
「カメラ装置」は、所定の位置に配置される物品を撮影可能に配置される。所定の位置とは、オークション会場において、物品が展示される場所のことである。撮影可能に配置されるとは、この物品の映像情報をカメラ装置にて取得できるような位置に配置されることを言う。例えば、このカメラ装置は、机の上に置かれていてもよく、また、天井や壁などに設置されていてもよい。また、カメラ装置は、複数台あってよい。また、複数の端末装置から、複数のカメラ装置の何れか一あるいは複数台のカメラ装置を駆動制御してもよい。
【００３６】
「カメラ装置」は、映像情報取得部と、駆動制御信号取得部と、からなる。
【００３７】
「映像情報取得部」は、前記物品の映像の情報である映像情報を取得する機能を有する。物品の映像の情報とは、オークションにかけられる物品に関しての詳細な状態がわかるような映像の情報のことを言う。物品の購入の判断をするに足る映像情報のことを言う。したがって、所定の解像度を持っている必要がある。カメラ装置は、物品についた傷や、逆に物品のテクスチャーなどが再現されるような程度の解像度を有することが望ましい。また、カメラ装置は、ズーム機能、パン機能、チルト機能を有していることが望ましい。さらに、ズームは光学系ズームであることが望ましい。また、フォーカス機能は、ネットオークションシステム利用者が見たい物品の部分にピントを合わせるために自動と手動の両者を有していることが望ましい。
【００３８】
「駆動制御信号取得部」は、自身を前記物品に対して相対的に動かすための駆動制御信号を取得する機能を有する。カメラ装置の「駆動」は、ズームと、パンと、チルトと、フォーカスと、に関する駆動である。したがって、駆動制御信号は、ズームと、パンと、チルトと、フォーカスと、が駆動制御できる信号のことを言う。「自身を前記物品に対して相対的に動かす」とは、前記物品と関係なく動かすのではないことを言う。つまり、前記物品に関する映像情報を取得するために、カメラ装置を駆動する、の意である。
【００３９】
「端末装置」は、閲覧部と、駆動制御信号出力部と、指値情報入力部と、利用者識別情報取得部と、利用者指値情報出力部と、からなる。
【００４０】
「閲覧部」は、前記サーバ装置の前記映像情報出力部から出力される映像情報を閲覧するための機能を有する。前記映像情報は、複数のカメラ装置の映像情報である。複数のカメラ装置の映像情報から見たい映像情報を選択してもよい。また、閲覧部では、駆動制御可能なカメラ装置がある場合には、そのカメラ装置が選択できるようになっていてもよい。閲覧部は、端末装置のモニターであってもよい。また、カメラ装置が三次元映像装置を送出する場合は、それに応じたモニターであってもよい。
【００４１】
「駆動制御信号出力部」は、前記閲覧部で閲覧している映像情報を取得しているカメラ装置の駆動制御信号を出力する機能を有する。本実施形態では、駆動制御信号出力部から出力された駆動制御信号にしたがってカメラ装置が駆動される訳ではない。複数の端末からの駆動制御信号の中から選択された優先駆動制御信号に従ってカメラ装置が駆動される。駆動制御信号出力部は、カーソルなどを使ってもよいし、専用の駆動制御信号出力用デバイスを用いてもよい。駆動制御信号を生成するものは、ズーム、パン、チルト、フォーカスなどの機能を制御できるものであれば、なんであってもよい。
【００４２】
「利用者識別情報取得部」は、ネットオークションシステム利用者を識別する情報である利用者識別情報を取得する。また、この利用者識別情報に対応して、利用者属性情報があり、利用者の個人情報以外に過去の利用履歴情報などが保持されている。
【００４３】
「利用者指値情報出力部」は、前記指値情報入力部に入力された指値情報と、前記利用者識別情報取得部で取得された利用者識別情報とを関連付けた情報である利用者指値情報を前記サーバ装置に出力する機能を有する。この利用者指値情報のうち、関連付けられ保持されている利用者識別情報は、後述する指値情報変更部において指値情報を変更する際に、ネットオークションシステム利用者の利用履歴などを参照するために必要な情報である。すなわち、この利用者指値情報は、利用者識別情報に基づいて利用者の過去の利用履歴などを参照することによって、指値情報を変更するその変更の大きさを決定する、などのために必要である。
【００４４】
「サーバ装置」は、映像情報出力部と、駆動制御信号取得部と、優先駆動制御信号選択部と、駆動制御信号送出部と、利用者指値情報取得部と、指値情報変更部からなる。
【００４５】
「映像情報出力部」は、前記カメラ装置の前記映像情報取得部が取得した映像情報を前記端末装置に対して閲覧可能とする機能を有する。前記映像情報出力部は、カメラ装置の前記映像情報取得部が取得した映像情報を、サーバに蓄積しても蓄積しなくてもよい。映像情報をサーバに蓄積する場合は、たとえば、オークションシステム利用者毎に過去に閲覧した映像情報を蓄積し、別のオークションシステム利用者が物品の映像情報を見たい場合には、オークションシステム利用者を選択すれば、前記蓄積された映像情報の履歴、が閲覧できるようになっていてもよい。また、蓄積された映像情報をマーケティング情報として利用してもよい。すなわち、オークションシステム利用者の映像情報の履歴を統計処理することによって、オークションシステム利用者が物品のどのような部分に注目しているか、というようなマーケティング情報が得られる。前記映像情報出力部は、前記端末装置に対して閲覧可能とする映像情報を前記端末装置に対して出力するということである。また、映像情報出力部は、複数の端末装置の閲覧部に対して、同じ映像情報を出力する。端末装置の閲覧部は、その映像情報を閲覧するかしないかは、閲覧者が選択できるようになっていてよい。
【００４６】
「駆動制御信号取得部」は、前記複数の端末装置から前記閲覧部で閲覧されている映像情報を取得しているカメラ装置の駆動制御信号を取得する機能を有する。閲覧者は、端末装置の閲覧部の映像情報に応じて、端末装置からサーバ装置に対して、駆動制御信号を出力する。サーバ装置は、前記端末装置より出力された駆動制御信号を駆動制御信号取得部にて取得する。サーバ装置にて駆動制御信号を取得する理由は、カメラ装置が直接複数の端末装置からの駆動制御信号を同時に受け取った場合には、複数の駆動制御信号が相互に干渉するために、カメラ装置を制御することができなくなるからである。このために、サーバ装置にて優先するべき駆動制御信号を選択して、この駆動制御信号にてカメラ装置を駆動する。
【００４７】
「優先駆動制御信号選択部」は、前記駆動制御信号取得部で取得した駆動制御信号のなかから優先的に処理すべき駆動信号である優先駆動制御信号を選択する。本発明の特徴点は、サーバ装置が有する優先駆動制御信号選択部にある。優先的に処理すべき駆動信号とは、前記駆動制御信号取得部がほぼ同時に取得した駆動制御信号のうち優先的に処理すべき駆動信号のことを言う。また、駆動制御信号は、サーバ装置にその優先のルールが決められ、そのルールに従って優先駆動制御信号が選択される。例えば、一例を挙げれば、前記駆動制御信号取得部が同時に取得した複数の駆動制御信号の中からランダムにひとつを選択するという方法である。具体的には、駆動制御信号に乱数を割り当て、その中で一番小さい番号のものを優先駆動制御信号として選択するなどの方法によってよい。
【００４８】
また、優先駆動制御信号とは、優先権を持っている信号である。この優先権とは、優先的に処理される駆動制御信号である、の意であるが、さらに、この駆動制御信号は、以下の4パターンの優先権を持ちうる。なお、この優先権の考え方は、以下の４つのパターンに限定されるものではなく、さまざまな形態が考えうることは言うまでもない。
【００４９】
（パターン１）複数のオークションシステム利用者の駆動制御信号のうちひとつが優先駆動制御信号として選択された瞬間からカメラ装置を駆動している間と、カメラ装置の駆動をストップしてからの一定時間とについて優先権がある、というものである。カメラ装置の駆動をストップしてからの一定時間は、たとえば、駆動後の映像情報を閲覧する目的のために優先権を付与する時間である。この一定時間を過ぎたあとは、優先権を喪失する。
【００５０】
（パターン２）複数のオークションシステム利用者の駆動制御信号のうちひとつが優先駆動制御信号として選択された瞬間から一定時間の間は、選択された優先駆動制御信号の出力者であるオークションシステム利用者が自由にカメラ装置を駆動することができる、というものである。この場合も、一定時間を過ぎたあとは、優先権を喪失する。
【００５１】
（パターン３）操作回数により優先権を設定するというものである。すなわち、優先駆動制御信号として選択された後は、駆動制御信号を送る回数が指定回数に達し、さらに最後の優先駆動制御信号が送信され、カメラ装置のその優先駆動制御信号による駆動が終了した時点から一定時間を経たあとに、優先権を喪失するというものである。たとえば、三回まで許容されているような場合は、ズーム３０倍、パン右３０度、チルト上１０度、のように駆動制御信号が３回出力され、この最後のチルト上１０度という優先駆動制御信号に応じてカメラ装置がこの駆動を完了してから１０秒後に優先権を喪失する、というものである。
【００５２】
（パターン４）複数のオークションシステム利用者の駆動制御信号のうちひとつが優先駆動制御信号として選択された瞬間から操作を開始してから操作を中止するまでの間と、さらにその操作を中止したあと一定時間が経過後に優先権を喪失するというものである。操作が連続的に行われている間は、優先権を喪失しない。
【００５３】
また、端末装置からの駆動制御信号が、一台の端末装置からしか取得されない場合は、この端末装置からの駆動制御信号が優先駆動制御信号となる。
【００５４】
さらに、本実施形態の応用形態として、前記優先駆動制御信号選択部は、前記利用者指値情報取得部で取得した利用者指値情報に基づいて前記選択をする利用者指値情報依存優先駆動制御信号選択手段を有するネットカメラオークションシステムがある。これは、優先駆動信号選択部での選択が利用者指値情報に依存して選択されるものであり、パターンとしては、利用者指値情報にて示される指値からその物品のネットオークション参加者（利用者）中の順位をさだめて、その順位に基づいて優先駆動制御信号の選択を行うというパターンが考えられる。この中で、一番順位が低いネットオークションの参加者（利用者）に対して優先的にカメラの制御権限を与える場合には、前記利用者指値情報依存優先駆動信号選択手段は、利用者指値情報で示される指値が他のネットオークションシステム利用者の利用者指値情報で示される指値よりも低い指値であるネットオークションシステム利用者の駆動制御信号を優先駆動制御信号として選択するネットカメラオークションシステムが構築されればよい。この趣旨は、指値順位の低いネットオークション参加者（利用者）ほど値段を上昇させる余地があるので、その者によく物品を観察する機会を与えるものである。なお、もっとも指値順位の低いネットオークション参加者を選択しないで、上から２番目の者を選択して、その者の駆動制御信号を優先駆動制御信号とすると効果がある。基本的には、オークションの指値は第一位の者と、第二位のものとの間で上昇してゆくからである。
【００５５】
なお、ネットオークション参加者（利用者）の指値情報に基づいて前記優先駆動制御信号選択部の選択を行うには、利用者指値情報に関連付けられている利用者識別情報と、駆動制御信号に関連付けられている利用者識別情報とをリンクさせて処理を行えばよい。
【００５６】
「駆動制御信号送出部」は、前記優先駆動制御信号選択部で選択した優先駆動制御信号を前記カメラ装置に送出する。サーバ装置の前記優先駆動制御信号選択部にてひとつの駆動制御信号のみが選択され、この駆動制御信号が前記カメラ装置に送出され、この信号に基づいてカメラ装置が駆動されるためにカメラ装置にて複数の駆動制御信号が相互に干渉してカメラ装置が駆動不能になることはない。
【００５７】
「利用者指値情報取得部」は、前記端末装置の利用者指値情報出力部から出力される前記利用者指値情報を取得する機能を有する。利用者指値情報については、上述したとおりである。
【００５８】
「指値情報変更部」は、前記利用者指値情報の利用者識別情報に基づいて前記指値情報を変更する機能を有する。この変更は、利用者の過去の利用履歴に基づいて、指値情報を変更するというものである。たとえば、ネットオークションシステムを通じて物品を多く購入しているようなネットオークションシステム利用者では、指値情報は、上方に変更される。また、ネットオークションシステムの利用はよくするが、購入をしないような場合には、逆に、指値情報が下方に修正される、などのことが行なわれる。すなわち、ネットオークションシステム利用者の利用履歴に基づいて、指値情報が、上方あるいは下方に修正されるのである。指値情報変更の判断基準には、いろいろなパターンが考えられる。
【００５９】
（パターン１）過去の一定期間（例えば、直近の１年間）、ネットカメラオークションシステムへの参加回数に応じて、指値情報を変更する。たとえば、ひとつの物品に対するオークションへの参加を一回とカウントするものである。この総参加回数をカウントするというものである。
【００６０】
（パターン２）過去の一定期間（例えば、直近の１年間）、ネットカメラオークションシステムの参加時間に応じて、指値情報を変更する。これは、ネットカメラオークションシステムへ参加している時間の総和である。接続時間をカウントするというものであってよい。
【００６１】
（パターン３）過去の一定期間（例えば、直近の１年間）、ネットカメラオークションシステムへの参加時に、カメラを操作していない時間の総和に応じて、指値情報を変更する。これは、ネットカメラオークションシステムへ接続はしているが、カメラは操作していない時間をカウントするものである。
【００６２】
（パターン４）過去の一定期間（例えば、直近の１年間）、ネットカメラオークションシステムへの参加時に、カメラを操作している時間の総和に応じて、指値情報を変更する。これは、ネットカメラオークションシステムへ接続はしており、かつ、カメラを操作している時間の総和をカウントするものである。
【００６３】
また、指値情報の変更に関して、指値情報変更を行う方法、つまり、割り増しの方法にもいろいろなパターンが考えられる。ひとつは、ネットオークションシステム利用者の過去一年間の累積購入金額の一定比率を加算するというものである。例えば、一定比率とは１％などの数値となる。もちろん、これ以外の数値であってもよい。また、別の割り増しの方法として、ランキングに応じた金額を割り増すというものであってもよい。
【００６４】
<実施形態１の具体的機能の説明>
【００６５】
図９は、実施形態１の具体的機能を説明するための図である。指値情報を変更する際に金額を加える処理を行う場合である。
【００６６】
端末装置「００１」０９０３の閲覧部では、一つのカメラ装置０９０２によるノートパソコンの映像情報がモニター上に表示されている。この映像情報を、ズームで４０倍に拡大した映像を見るために、駆動制御信号出力部より駆動制御信号を、サーバ装置０９０４の駆動制御信号取得部に対して出力する。サーバ装置の駆動信号制御信号取得部は、複数の端末装置からの駆動制御信号０９０５を取得している。端末装置Ａからは、ズーム４０倍、端末装置Ｂからはチルト下２０度、端末装置Ｃからはズーム５倍、である。サーバ装置の優先駆動制御信号選択部では、前記駆動制御信号取得部から取得した複数の端末装置からの前記駆動制御信号の中から優先すべき駆動制御信号０９０６を選択する。例えば、端末装置Ｃのズーム５倍が選択される。駆動制御信号送出部は、ズーム５倍という駆動制御信号をカメラ装置の駆動制御信号取得部に送出する。カメラ装置の駆動制御信号取得部は、このズーム５倍という駆動制御信号を取得し、これに従ってカメラのズームを５倍に設定する。映像情報取得部では、このズーム５倍の映像情報を取得し、サーバ装置の映像情報出力部経由にて、端末装置の閲覧部に映像情報を出力する。
【００６７】
一方、この映像装置を見て、オークションがスタートするのだが、指値情報入力部から指値情報を入力する。例えば、端末装置Ａ０９０３では、指値情報１００００円が入力される。次に利用者識別情報取得部にて、端末装置Ａを利用者している利用者識別情報が取得される。この例では、ＵＩＤ（＝ＵＳＥＲ  ＩＤ）＝００１である。この利用者識別情報の取得とは、利用者が端末装置に自分の利用者識別番号を入力することであってもよく、また、すでにこのシステムにログインしている場合、そのログインナンバーと、パスワードなどから利用者番号を検索し取得してきてもよい。端末装置Ｂでは、指値情報は５０００円で、ＵＩＤ＝００２であり、端末装置Ｃでは、指値情報は、７０００円で、ＵＩＤ＝００３である。利用者識別番号と、指値情報は関連づけられる（０９０７）。利用者指値情報取得部において、利用者識別番号と、指値情報が関連付けられた情報０９０８が取得される。指値情報変更部においては、指値情報が入力された後、指値情報が変更される（０９０９）。指値情報の変更は、利用者識別情報に基づいて変更される。例えば、過去の利用履歴つまり、購入履歴などを参照する。なお、指値情報変更部には、図３０に示すような、過去の購入履歴３００２と指値情報変更のための計算結果に関するテーブル３００１が保持されている。本例では、ＵＩＤ＝００１のネットオークションシステム利用者は、購入履歴は０であると考え、指値情報は変更しない。また、ＵＩＤ＝００２のユーザーに関しては、図３０の過去の購入履歴に示すように、過去に５万円購入したことがあるので、当初の指値情報が５０００円に対して、指値変更部にてこれが変更され、２００円／万円×５万円＝１０００円が加算され、指値情報は、６０００円に変更される。また、ＵＩＤ＝００３のネットオークション利用者はもっとも購入量の多い利用者であり、図３０に示すように過去の購入量は、２０万円である。したがって、２００円／万円×２０万円＝４０００円が指値情報７０００円に対して加算されて、１１０００円となる。この結果、指値情報では、ＵＩＤ＝００１がもっとも金額が大きいのに対して、指値情報変更後では、ＵＩＤ＝００３が指値情報がもっとも大きくなり、順位が逆転している。
【００６８】
図１０は実施形態１の別の具体的な実施例を示すものである。指値情報を変更する場合に、金額を減ずる処理を行う場合である。
【００６９】
なお、本実施例については、前記実施例とカメラ装置の駆動については処理は共通であるために説明は省略する。
【００７０】
映像装置を見て、オークションがスタートするのだが、指値情報入力部から指値情報を入力する。例えば、端末装置Ａでは、指値情報８０００円が入力される。次に利用者識別情報取得部にて、端末装置Ａを利用者している利用者識別情報が取得される。この例では、ＵＩＤ（＝ＵＳＥＲ  ＩＤ）＝００１である。この利用者識別情報の取得とは、利用者が端末装置に自分の利用者識別番号を入力することであってもよく、また、すでにこのシステムにログインしている場合、そのログインナンバーと、パスワードなどから利用者番号を検索し取得してきてもよい。端末装置Ｂでは、指値情報は６０００円で、ＵＩＤ＝００２であり、端末装置Ｃでは、指値情報は、７０００円で、ＵＩＤ＝００３である。指値情報変更部においては、指値情報が入力された後、指値情報が変更される。指値情報の変更は、利用者識別情報に基づいて変更される。この実施例は、いわば減点法である。例えば、ネットカメラオークションシステムを利用していない日数の総和をもって金額を減じる。なお、指値情報変更部には、図３１に示すようなテーブル３１０１が保持されている。本例では、ＵＩＤ＝００１のネットオークションシステム利用者は、ネットカメラオークションシステムの利用は今回が初めてなので、指値情報から４０００円減じられ、変更後の指値情報は４０００円となった。また、ＵＩＤ＝００２のネットオークションシステム利用者に関しては、１７８日利用しているので、減じられる額も少なくなり、１０００円減じられ５０００円となった。また、ＵＩＤ＝００３のネットオークション利用者はＵＩＤ＝００３のネットオークションシステム利用者は、ＵＩＤ＝００２のネットオークションシステム利用者と同等の利用であるので、指値情報７０００円に対して、１０００円減じられ６０００円となる。この結果、指値情報では、ＵＩＤ＝００１がもっとも金額が大きいのに対して、指値情報変更後では、ＵＩＤ＝００２と、ＵＩＤ＝００３が逆転し、さらに、ＵＩＤ＝００３の指値情報がもっとも大きくなる。
【００７１】
<実施形態１の処理の流れ>
【００７２】
実施形態１の処理の流れは、すでに、図６、７を用いて詳述してあるので、ここでは説明を省略する。
【００７３】
<実施形態１の効果>
【００７４】
実施形態１によれば、複数の端末から取得される駆動制御信号からひとつの駆動制御信号を選択することによって、複数の駆動制御装置の相互干渉によるカメラ装置の誤動作あるいは動作不能の状態を回避できる。その結果として、ネットワークを介ししたオークションを円滑に進めることができる。また、この映像情報を閲覧後、ネットオークションシステム利用者が指値を入力したあとに、サーバ装置側で利用者識別情報に基づいて指値情報が変更され、最終的にこの変更された指値情報にてネットオークションを進めることができる、という効果を奏する。
【００７５】
≪実施形態２≫
【００７６】
<実施形態２の概念>
【００７７】
図１１と図１２は、実施形態２の概念を表す図である。
【００７８】
実施形態２は、実施形態1と同じくカメラ装置一台でひとつの物品を見るというものである。なお、ここにおいて、サーバ装置には、カメラ装置が複数台接続されており、物品もそれぞれのカメラ装置に対応して一つずつあってもよい。あるいは、一つのカメラ装置に複数の物品があってもよい。
【００７９】
図１１の概念図は、特に、過去の駆動制御信号に基づいて、指値情報を変更することに関して説明したものである。ネットオークションシステム利用者Ａは、カメラ装置を操作することなく、すなわち、駆動制御信号を出力することなく、コンピュータの購入を決定している。また、Ｂは、逆に３０分近く見て悩んでいる。Ｂは、３０分近く駆動制御信号を出力している。さらに、Ｃは、１０分程度見てから判断するということで、１０分近く駆動制御信号を出力している。本実施形態は、過去の駆動制御信号に基づいて指値情報を変更するために、さらに、古い駆動制御信号も取得してくる。この結果、図１２の概念図に示すような形でオークションが進んでいく。
【００８０】
ネットオーオークションシステム利用者Ａは、まず指値情報５万円を提示する（(1)）。この指値情報は、すぐさまサーバ装置により取得され、ネットオークションシステム利用者Ａの過去の駆動制御信号を参照した結果にもとづいて、指値情報変更部にて指値情報が変更され６万円となる。これは、駆動制御信号をよく出力していたため、１万円の金額加算があった、ということである。ネットオークションシステム利用者Ｂは、この６万円という数値を見て、７万円を指値として提示する（(2)）。ネットオークションシステム利用者Ｂは、過去においてはあまり駆動制御信号は使っていなかったので、加算額は、０円である。ネットオークションシステム利用者Ｃは、この７万円の数値を入れるが、すこし高いと感じたので、５千円高い、７万５千円の指値情報を提示した（(3)）。ネットオークションシステム利用者Ｃは、駆動制御信号をときどきは出力していたので、５千円の金額の加算があった。ネットオークションシステム利用者Ａは、どうしてもこのノートパソコンが欲しいので、ここで、指値情報を当初の二倍の１０万円にて提示した（(4)）。この数値には２万円が加算され、指値情報変更後は１２万円となった。ネットオークションシステム利用者Ｃは、この金額は、無理なので入札をあきらめた（(5)）。
【００８１】
<実施形態２の全体構成>
【００８２】
図１３は、実施形態２の機能ブロックを示す図である。
【００８３】
実施形態２は、実施形態１を基本として、カメラ装置１３１７と、サーバ装置１３１０と、複数の端末装置１３０４と、からなるネットカメラオークションシステム１３０１であって、前記カメラ装置は、映像情報取得部１３０２と、駆動制御信号取得部１３０３と、を有し、前記端末装置は、閲覧部１３０５と、指値情報入力部１３０６と、利用者識別情報取得部１３０７と、利用者指値情報出力部１３０８と、駆動制御信号出力部１３０９と、を有し、前記サーバ装置は、映像情報出力部１３１１と、利用者指値情報取得部１３１２と、駆動制御信号取得部１３１３と、優先駆動制御信号選択部１３１４と、駆動制御信号送出部１３１５と、指値情報変更部１３１６と、を有しており、特徴点は、前記サーバ装置の前記指値情報変更部は、駆動制御信号依存指値情報変更手段１３１８をさらに有する点である。
【００８４】
<実施形態２の構成の説明>
【００８５】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、に関しては、実施形態１と基本的機能は共通であるので詳細な説明は省略する。
【００８６】
前記サーバ装置の「指値情報変更部」は、「駆動制御信号依存指値情報変更手段」をさらに有する。「駆動制御信号依存指値情報変更手段」は、前記駆動制御信号取得部で取得した過去の駆動制御信号に基づいて前記指値情報を変更する機能を有する。「過去の駆動制御信号に基づいて」とは、いろいろなパターンがある。
【００８７】
（パターン１）過去の一定期間（例えば、直近の１年間）、ネットカメラオークションシステムにおいて駆動制御信号を出力した回数、に基づく場合。
【００８８】
（パターン２）過去の一定期間（例えば、直近の１年間）、ネットカメラオークションシステムにおいて駆動制御信号を出力した時間の総和、に基づく場合。
【００８９】
（パターン３）過去の一定期間（例えば、直近の１年間）、ネットカメラオークションシステムにおいて、駆動制御信号を出力していない時間の総和に基づく場合。
以上は、代表的なパターンである。
【００９０】
「過去の駆動制御信号に基づいて前記指値情報を変更する」とは、前記のいずれか、に基づいて、あるいはそれ以外にあれば、それ以外のパターンに基づいて、指値情報を変更するということである。この指値情報の変更については、実施形態１に代表的な例については述べたのでここでは、説明を省略する。
【００９１】
<実施形態２の具体的機能の説明>
【００９２】
図１４は、実施形態２の具体的機能の説明を行うための図である。
【００９３】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、に関しては、実施形態１と基本的機能は共通であるので詳細な説明は省略する。
【００９４】
指値情報変更部は、過去の駆動制御信号に基づいて指値情報を変更する。例えば、図１４の例では、駆動制御信号取得部にて取得した、過去の駆動制御信号の出力回数、に基づいて、指値情報が変更されるというものである。指値情報変更部には、図３２に示されるように、過去のオークションにおける駆動制御信号の出力回数の履歴と、出力回数の合計が求められたテーブル３２０２が保持されている。また、以下で説明するテーブル３２０１が記載されている。例えば、ＵＩＤ＝００１であるネットオークション利用者は、指値情報は、１００００円であるが、過去の駆動制御信号出力が０回であるために、駆動制御信号依存指値情報変更手段は、ＵＩＤ＝００１の指値情報を変更はしない。また、ＵＩＤ＝００２のネットオークションシステム利用者の過去の駆動制御信号出力は、１００回である。駆動制御信号依存指値情報変更手段は、一回当たり４０円を加算するために、４０円／回×１００回＝４０００円の金額を加算して、変更後指値情報は、９０００円となる。さらに、ＵＩＤ＝００３のネットオークションシステム利用者の過去の駆動制御信号出力は、２５回であるために、駆動制御信号依存指値情報変更手段は、４０円／回×２５回＝１０００円の金額を加算して、変更後指値情報は、８０００円となる。
【００９５】
図１５は、実施形態２の具体的機能の説明を行うための図である。
【００９６】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、に関しては、実施形態１と基本的機能は共通であるので詳細な説明は省略する。
【００９７】
本実施例は前述の実施例とは逆に、過去の駆動制御信号の出力回数に基づいて、指値情報に示され.指値から所定の金額を減じるための処理を行う場合である。この考え方は、カメラを駆動させようとする時間が多いほど、サーバ側での情報処理量が増加するために、これを指値情報に反映させようとするものである。指値情報変更部は、図３３に示すように、過去のオークションにおける駆動制御信号の出力回数３３０２と、変更後指値情報を計算するために必要なデータを計算する式３３０１と、をテーブルとして保持している。また、この出力回数の合計を用いた減算額の計算式が記載されている。例えば、ＵＩＤ＝００１であるネットオークション利用者は、指値情報は、１００００円であるが、過去の駆動制御信号出力が０回であるために、駆動制御信号依存指値情報変更手段は、ＵＩＤ＝００１の指値情報を変更はしない。また、ＵＩＤ＝００２のネットオークションシステム利用者の過去の駆動制御信号出力は、１００回である。駆動制御信号依存指値情報変更手段は、一回当たり４０円を減算するために、４０円／回×１００回＝４０００円の金額を減算して、変更後指値情報は、１０００円となる。さらに、ＵＩＤ＝００３のネットオークションシステム利用者の過去の駆動制御信号出力は、２５回であるために、駆動制御信号依存指値情報変更手段は、４０円／回×２５回＝１０００円の金額を減算して、当初の７０００円が、変更後指値情報は６０００円となる。
【００９８】
<実施形態２の処理の流れ>
【００９９】
図１６は実施形態２の処理の流れを表す図である。
【０１００】
実施形態２の処理の流れにおいては、駆動制御信号Ａ出力ステップ１６０６と、駆動制御信号Ａ取得ステップ１６０８と、駆動制御信号Ｂ出力ステップ１６０９と、駆動制御信号Ｂ取得ステップ１６１０と、優先駆動制御信号選択ステップ１６１１と、駆動制御信号Ｂ送出ステップ１６１２と、映像情報出力ステップ１６１３と、閲覧ステップ１６１６と、指値情報入力ステップ１７０１と、利用者識別情報取得ステップと、利用者指値情報出力ステップ１７０２と、利用者指値情報取得ステップ１７０３と、に関しては、実施形態１と基本的な処理は共通であるので、詳細な説明は省略する。
【０１０１】
本実施形態の前記サーバ装置の前記指値情報変更ステップは、前記駆動制御信号取得ステップにて取得した過去の駆動制御信号に基づいて前記指値情報を変更する駆動制御信号依存指値情報変更ステップ１７０４をさらに有する点である。
【０１０２】
<実施形態２の効果>
【０１０３】
実施形態２によれば、ネットオークションシステム利用者の過去の駆動制御信号に基づいて、指値情報を変更することができる、という効果を奏する。
【０１０４】
≪実施形態３≫
【０１０５】
<実施形態３の概念>
【０１０６】
実施形態２が過去の駆動制御信号に基づいて指値情報が変更されたのに対して、本実施形態は、物品に関する優先駆動制御信号に基づいて、その物品に関する指値情報を変更するという発明である。
【０１０７】
<実施形態３の全体構成>
【０１０８】
図１８は、実施形態３の機能ブロックを示す図である。
【０１０９】
実施形態３は、実施形態２を基本として、カメラ装置１８１８と、サーバ装置１８１０と、複数の端末装１８０４と、からなるネットカメラオークションシステム１８０１であって、前記カメラ装置は、映像情報取得部１８０２と、駆動制御信号取得部１８０３と、からなり、前記サーバ装置は、映像情報出力部１８１１と、利用者指値情報取得部１８１２と、駆動制御信号取得部１８１３と、優先駆動制御信号選択部１８１４と、駆動制御信号送出部１８１５と、指値情報変更部１８１６と、駆動制御信号依存指値情報変更手段１８１７を有し、前記端末装置１８０４は、閲覧部１８０５と、駆動制御信号出力部１８０９と、利用者識別情報取得１８０７部と、利用者指値情報出力部１８０８と、指値情報入力部１８０６と、を有しているネットカメラオークションシステムであり、特徴点は、前記駆動制御信号依存指値情報変更手段１８１７は、前記物品に関する優先駆動制御信号に基づいて、その物品に関する指値情報を変更する点である。
【０１１０】
<実施形態３の構成の説明>
【０１１１】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、に関しては、実施形態２と基本的機能は共通であるので詳細な説明は省略する。
【０１１２】
本実施形態の「駆動制御信号依存指値情報変更手段」は、前記物品に関する優先駆動制御信号に基づいて、その物品に関する指値情報を変更する。物品に関する優先駆動制御信号とは、ネットオークションシステム利用者がまさに参加しているネットオークションに出品されている物品の映像情報を取得するために選択された駆動制御信号のことを言う。実施形態２が、過去にさかのぼって駆動制御信号に基づいて指値情報を変更したのに対して、本実施形態では現在進行中のオークションに出品されている物品に対する優先駆動制御信号に基づいて、指値情報を変更する、という相違がある。
【０１１３】
<実施形態３の具体的機能についての説明>
【０１１４】
図１９は、実施形態３の具体的機能ブロックを説明するための図である。実施形態３の構成の説明で記したように、実施形態２と共通の機能を有する部と、手段と、に関しては説明は省略する。
【０１１５】
指値情報変更部は、物品に関する優先駆動制御信号１９０６に基づいて、その物品に関する指値情報１９０８を変更する。図１９の例では、たとえば、物品に関する優先駆動制御信号に基づいているが、ひとつの物品に関して、優先駆制御信号選択部にて優先駆動制御信号として選択され、実施形態１で述べた優先権を喪失するまでの時間の累積値に基づいて、と言い換えてもよい。すなわち、優先権をもっている時間の累積値が長ければ長いほど、指値情報に加算される値が大きくなる。あるいは、優先権をもっている時間の累積値が長ければ長いほど、指値情報に加算される値が小さくなる。いずれであってもよい。ここでは、前者の場合を考える。この例えば、ＵＩＤ＝００１であるネットオークション利用者は、指値情報は、１００００円であるが、優先権を有している時間が０であったため、駆動制御信号依存指値情報変更手段は、ＵＩＤ＝００１の指値情報を変更はしない。また、ＵＩＤ＝００２のネットオークションシステム利用者が優先権を持っていた累積時間は１００分である。駆動制御信号依存指値情報変更手段は、一分当たり４０円を加算するために、４０円／分×１００分＝４０００円の金額を加算して、変更後指値情報は、９０００円となる。さらに、ＵＩＤ＝００３のネットオークションシステム利用者の優先権を持っていた累積時間は、２５分であるために、駆動制御信号依存指値情報変更手段は、４０円／分×２５分＝１０００円の金額を加算して、変更後指値情報は、８０００円となる。
【０１１６】
また、本実施形態の別の実施例は、図示はしないが、優先権を有している累積時間に基づいて、指値情報を減算する、というネットカメラオークションシステムであってもよい。
【０１１７】
<実施形態３の処理の流れ>
【０１１８】
図２０と、図２１とは、実施形態３の処理の流れを表す図である。
【０１１９】
実施形態３のネットカメラオークションシステムの処理の流れは、実施形態２と基本的処理は共通であるので、詳細な説明は省略する。特徴点は、前記駆動制御信号依存指値情報変更ステップ２１０４は、前記物品に関する優先駆動制御信号に基づいて、その物品に関する指値情報を変更する点である。
【０１２０】
<実施形態３の効果>
【０１２１】
実施形態３によれば、優先駆動制御信号に基づいて指値情報を変更できる、という効果を奏する。
【０１２２】
≪実施形態４≫
【０１２３】
<実施形態４の概念>
【０１２４】
実施形態３が優先駆動制御信号に基づいて指値情報の変更値を決定し、その一例として優先権を有している累積時間に基づいて指値情報の変更値を決定したが、実施形態４においては、優先駆動制御信号の過去の履歴情報である優先駆動制御信号履歴情報に基づいて、その物品に関する指値情報を変更する、ことを特徴としている。
【０１２５】
<実施形態４の全体構成>
【０１２６】
図２２は、実施形態４の機能ブロックを示す図である。
【０１２７】
実施形態４は、実施形態２を基本として、カメラ装置２２１８と、サーバ装置２２１０と、複数の端末装置２２０４と、からなるネットカメラオークションシステムであって、前記カメラ装置は、映像情報取得部２２０２と、駆動制御信号取得部２２０３と、からなり、前記サーバ装置は、映像情報出力部２２１１と、利用者指値情報取得部２２１２と、駆動制御信号取得部２２１３と、優先駆動制御信号選択部２２１４と、駆動制御信号送出部２２１５と、指値情報変更部２２１６と、駆動制御信号依存指値情報変更手段２２１７を有し、前記端末装置２２０４は、閲覧部２２０５と、駆動制御信号出力部２２０９と、指値情報入力部２２０６と、利用者識別情報取得部２２０７と、利用者指値情報出力部２２０８と、を有しているネットカメラオークションシステムであり、特徴点は、前記駆動制御信号依存指値情報変更手段２２１７は、優先駆動制御信号の過去の履歴情報である優先駆動制御信号履歴情報に基づいて、その物品に関する指値情報を変更する点である。
【０１２８】
<実施形態４の構成の説明>
【０１２９】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、に関しては、実施形態２と基本的機能は共通であるので詳細な説明は省略する。
【０１３０】
本実施形態の「駆動制御信号依存指値情報変更手段」は、優先駆動制御信号履歴情報に基づいて、その物品に関する指値情報を変更する機能を有する。「優先駆動制御信号履歴情報」とは、優先駆動制御信号の過去の履歴情報を言う。「優先駆動制御信号の過去の履歴情報」とは、利用者ごとに利用者識別情報と関連付けられ保持されている優先駆動制御信号の過去の履歴に関する情報のことである。
【０１３１】
<実施形態４の具体的機能についての説明>
【０１３２】
図２３は、実施形態４の具体的機能ブロックを説明するための図である。実施形態４の構成の説明で記したように、実施形態２と共通の機能を有する部と、手段と、に関しては説明は省略する。
【０１３３】
指値情報変更部は、優先駆動制御信号２３０６の過去の履歴情報である優先駆動制御信号履歴情報に基づいて、その物品に関する指値情報を変更する。図２３の例では、たとえば、優先駆動制御信号履歴情報とは、優先権を有していた時間の累積値、であってもよい。そして、優先権をもっている時間の累積値が長ければ長いほど、指値情報に加算される値が大きくなる。あるいは、優先権をもっている時間の累積値が長ければ長いほど、指値情報に加算される値が小さくなる。いずれであってもよい。ここでは、前者の場合を考える。指値情報変更部は、図３４に示すような、過去のオークションにおける優先権の時間と累積時間が記載されているテーブル３４０２を保持している。また、これに基づく計算式が同図中のテーブル３４０１に示されている。例えば、ＵＩＤ＝００１であるネットオークション利用者は、指値情報は、１００００円であるが、優先権を有している過去の履歴情報である優先駆動制御信号履歴情報であるところの累積時間が０であったため、駆動制御信号依存指値情報変更手段は、ＵＩＤ＝００１の指値情報を変更はしない。また、ＵＩＤ＝００２のネットオークションシステム利用者が優先権を有している過去の履歴情報である優先駆動制御信号履歴情報であるところ累積時間は、１００分である。駆動制御信号依存指値情報変更手段は、一分当たり４０円を加算するために、４０円／分×１００分＝４０００円の金額を加算して、変更後指値情報は、９０００円となる。さらに、ＵＩＤ＝００３のネットオークションシステム利用者の優先権を有している過去の履歴情報である優先駆動制御信号履歴情報であるところの累積時間は、２５分であるために、駆動制御信号依存指値情報変更手段は、４０円／分×２５分＝１０００円の金額を加算して、変更後指値情報は、８０００円となる。
【０１３４】
また、本実施形態の別の実施例は、図示はしないが、優先権を有している累積時間に基づいて、指値情報を減算する、というネットカメラオークションシステムであってもよい。
【０１３５】
<実施形態４の処理の流れ>
【０１３６】
図２４と、図２５とは、実施形態４の処理の流れを表す図である。
【０１３７】
実施形態３のネットカメラオークションシステムの処理の流れは、実施形態２と基本的処理は共通であるので、詳細な説明は省略する。特徴点は、前記指値情報変更ステップ２５０４は、優先駆動制御信号の過去の履歴情報である優先駆動制御信号履歴情報に基づいて、その物品に関する指値情報を変更する点である。
【０１３８】
<実施形態４の効果>
【０１３９】
実施形態４によれば、優先駆動制御信号履歴情報に基づいて指値情報を変更できる、という効果を奏する。
【０１４０】
≪実施形態５≫
【０１４１】
<実施形態５の概念>
【０１４２】
実施形態４が優先駆動制御信号の過去の履歴情報である優先駆動制御信号履歴情報に基づいて、その物品に関する指値情報を変更する、ことを特徴としていたが、実施形態５は、さらに、前記優先駆動制御信号履歴情報は、前記優先駆動制御信号に基づいて算定される駆動量の積分値である点に特徴がある。
【０１４３】
<実施形態５の全体構成>
【０１４４】
図２６は、実施形態５の機能ブロックを示す図である。
【０１４５】
実施形態５は、実施形態４を基本として、カメラ装置２６１８と、サーバ装置２６１０と、複数の端末装置２６０４と、からなるネットカメラオークションシステム２６０１であって、前記カメラ装置は、映像情報取得部２６０２と、駆動制御信号取得部２６０３と、からなり、前記サーバ装置は、映像情報出力部２６１１と、利用者指値情報取得部２６１２と、駆動制御信号取得部２６１３と、優先駆動制御信号選択部２６１４と、駆動制御信号送出部２６１５と、指値情報変更部２６１６と、駆動制御信号依存指値情報変更手段２６１７を有し、前記端末装置は、閲覧部２６０５と、指値情報入力部２６０６と、駆動制御信号出力部２６０９と、利用者識別情報取得部２６０７と、利用者指値情報出力部２６０８と、を有しているネットカメラオークションシステムであり、特徴点は、前記優先駆動制御信号履歴情報は、前記優先駆動制御信号に基づいて算定される駆動量の積分値である点である。
【０１４６】
<実施形態５の構成の説明>
【０１４７】
前記カメラ装置の、映像情報取得部と、駆動制御信号取得部と、を有し、前記端末装置の、閲覧部と、指値情報入力部と、利用者識別情報取得部と、利用者指値情報出力部と、駆動制御信号出力部と、を有し、前記サーバ装置の、映像情報出力部と、利用者指値情報取得部と、駆動制御信号取得部と、優先駆動制御信号選択部と、駆動制御信号送出部と、指値情報変更部と、駆動制御信号依存指値情報変更手段と、に関しては、実施形態４と基本的機能は共通であるので詳細な説明は省略する。
【０１４８】
本実施形態の前記優先駆動制御信号履歴情報は、前記優先駆動制御信号に基づいて算定される駆動量の積分値である。優先駆動制御信号に基づいて算定される駆動量の積分値とは、カメラ装置を駆動するための優先駆動制御信号に基づいて算定される駆動系の駆動量の積分値である。たとえば、カメラ装置の駆動用モーターの回転数である。また、駆動量の積分値とは、過去のオークションも含めての駆動量の積分値である。
【０１４９】
<実施形態５の具体的機能についての説明>
【０１５０】
図２７は、実施形態５の具体的機能ブロックを説明するための図である。実施形態５の構成の説明で記したように、実施形態２と共通の機能を有する部と、手段と、に関しては詳細な説明は省略する。
【０１５１】
指値情報変更部は、優先駆動制御信号の過去の履歴情報である優先駆動制御信号履歴情報、本実施形態では前記優先駆動制御信号に基づいて算定される駆動量の積分値に基づいて、その物品に関する指値情報を変更する。図２３の例では、たとえば、優先駆動制御信号履歴情報とは、駆動モーターの回転数の累積値、であってもよい。そして、駆動モーターの回転数の累積値が多ければ多いほど、指値情報に加算される値が大きくなる。あるいは、駆動モーターの回転数の累積値が多ければ多いほど、指値情報に加算される値が小さくなってもよい。いずれであってもよい。ここでは、前者の場合を考える。指値情報変更部は、図３５に示すような、過去のオークションにおける駆動モーターの回転数とその累積値について記載されたテーブル３５０２を保持している。また、以下で述べる駆動モーターの回転数の累積値を用いた加算額の計算値についてもテーブル３５０１にて記載している。例えば、ＵＩＤ＝００１であるネットオークション利用者は、指値情報は、１００００円であるが、駆動モーターの回転数の累積値が０であったため、駆動制御信号依存指値情報変更手段は、ＵＩＤ＝００１の指値情報を変更はしない。また、ＵＩＤ＝００２のネットオークションシステム利用者の駆動モーターの回転数の累積値は、１０００回転である。駆動制御信号依存指値情報変更手段は、一回転当たり４円を加算するために、４円／回転×１０００回転＝４０００円の金額を加算して、変更後指値情報は、９０００円となる。さらに、ＵＩＤ＝００３のネットオークションシステム利用者の駆動モーターの回転数の累積値は、２５０回転であるために、駆動制御信号依存指値情報変更手段は、４円／回転×２５０回転＝１０００円の金額を加算して、変更後指値情報は、８０００円となる。
【０１５２】
また、本実施形態の別の実施例は、図示はしないが、駆動モーターの回転数の累積値に基づいて、指値情報を減算する、というネットカメラオークションシステムであってもよい。
【０１５３】
<実施形態５の処理の流れ>
【０１５４】
図２８と、図２９とは、実施形態５の処理の流れを表す図である。
【０１５５】
実施形態５のネットカメラオークションシステムの処理の流れは、実施形態４と基本的処理は共通であるので、詳細な説明は省略する。特徴点は、前記指値情報変更ステップ２９０４の、優先駆動制御信号の過去の履歴情報である優先駆動制御信号履歴情報は、前記優先駆動制御信号に基づいて算定される駆動量の積分値である点である。
【０１５６】
<実施形態５の効果>
【０１５７】
実施形態５によれば、優先駆動制御信号の駆動量の積分値に基づいて指値情報を変更できる、という効果を奏する。
【０１５８】
尚、本発明のネットカメラオークションシステムは、上記した実施の形態に限定されるものではなく、本発明の要旨を逸脱しない範囲内において種々変更を加え得ることは勿論である。
【図面の簡単な説明】
【０１５９】
【図１】実施形態１の概念図
【図２】実施形態１の概念図
【図３】実施形態１のカメラ装置を説明するための図
【図４】実施形態１のネットワークオークションの流れを示す図
【図５】実施形態１のネットワークオークションの流れを示す図
【図６】実施形態１のネットワークオークションの流れをあらわすシーケンス図
【図７】実施形態１のネットワークオークションの流れをあらわすシーケンス図
【図８】実施形態１の機能ブロック図
【図９】実施形態１の具体的機能を示す図
【図１０】実施形態１の具体的機能を示す図
【図１１】実施形態２の概念図
【図１２】実施形態２の概念図
【図１３】実施形態２の機能ブロック図
【図１４】実施形態２の具体的機能を示す図
【図１５】実施形態２の具体的機能を示す図
【図１６】実施形態２の処理の流れをあらわすシーケンス図
【図１７】実施形態２の処理の流れをあらわすシーケンス図
【図１８】実施形態２の機能ブロック図
【図１９】実施形態３の具体的機能を表す図
【図２０】実施形態３の処理の流れを表すシーケンス図
【図２１】実施形態３の処理の流れを表すシーケンス図
【図２２】実施形態４の機能ブロック図
【図２３】実施形態４の具体的機能を表す図
【図２４】実施形態４の処理の流れを表すシーケンス図
【図２５】実施形態４の処理の流れを表すシーケンス図
【図２６】実施形態５の機能ブロック図
【図２７】実施形態５の具体的機能を表す図
【図２８】実施形態５の処理の流れを表すシーケンス図
【図２９】実施形態５の処理の流れを表すシーケンス図
【図３０】ネットオークションシステム利用者の購入履歴に依存した加算額の計算テーブル
【図３１】ネットオークションシステム利用者の購入履歴に依存した減算額の計算テーブル
【図３２】ネットオークションシステム利用者の駆動制御信号の出力回数に依存した加算額の計算テーブル
【図３３】ネットオークションシステム利用者の駆動制御信号の出力回数に依存した減算額の計算テーブル
【図３４】ネットオークションシステム利用者の優先権の累積時間に依存した加算額の計算テーブル
【図３５】ネットオークションシステム利用者の駆動モーターの回転数の累積値に依存した加算額の計算テーブル
【符号の説明】
【０１６０】
０８０１  ネットカメラオークションシステム
０８０２  映像情報取得部
０８０３  駆動制御信号取得部
０８０４  端末装置
０８０５  閲覧部
０８０６  指値情報入力部
０８０７  利用者識別情報取得部
０８０８  利用者指値字用法出力部
０８０９  駆動制御信号出力部
０８１０  サーバ装置
０８１１  映像情報出力部
０８１２  利用者指値情報取得部
０８１３  駆動制御信号取得部
０８１４  優先駆動制御信号選択部
０８１５  駆動制御信号送出部
０８１６  指値情報変更部
０８１７  カメラ装置
【図１】
2005293294.tif 000003
【図２】
2005293294.tif 000004
【図３】
2005293294.tif 000005
【図４】
2005293294.tif 000006
【図５】
2005293294.tif 000007
【図６】
2005293294.tif 000008
【図７】
2005293294.tif 000009
【図８】
2005293294.tif 000010
【図９】
2005293294.tif 000011
【図１０】
2005293294.tif 000012
【図１１】
2005293294.tif 000013
【図１２】
2005293294.tif 000014
【図１３】
2005293294.tif 000015
【図１４】
2005293294.tif 000016
【図１５】
2005293294.tif 000017
【図１６】
2005293294.tif 000018
【図１７】
2005293294.tif 000019
【図１８】
2005293294.tif 000020
【図１９】
2005293294.tif 000021
【図２０】
2005293294.tif 000022
【図２１】
2005293294.tif 000023
【図２２】
2005293294.tif 000024
【図２３】
2005293294.tif 000025
【図２４】
2005293294.tif 000026
【図２５】
2005293294.tif 000027
【図２６】
2005293294.tif 000028
【図２７】
2005293294.tif 000029
【図２８】
2005293294.tif 000030
【図２９】
2005293294.tif 000031
【図３０】
2005293294.tif 000032
【図３１】
2005293294.tif 000033
【図３２】
2005293294.tif 000034
【図３３】
2005293294.tif 000035
【図３４】
2005293294.tif 000036
【図３５】
2005293294.tif 000037